(57)【要約】【課題】粘着力を失なったテープ部を剥して一周分を切り離す動作が簡単にできる様にすること。更には粘着力を失なったテープ部を剥す時に剥し始めの部分をめくり易くすること。【解決手段】粘着テープを幾周も巻いたロール１の一端部から軸方向又はほぼ軸方向へ他端部の近傍まで到達する切り目３を入れる様にする。【選択図】図１
2010042230.tif 000002
【特許請求の範囲】
【請求項１】
ゴミ、ほこり、毛玉、抜け毛などを粘着テープに粘着させて除去する粘着テープ式クリーナーのロールであり、粘着テープを幾周も巻いたロールの一端部から軸方向又はほぼ軸方向へ他端部の近傍まで到達する切り目をいれ、粘着力を失なったテープ部を一周毎に切り離す動作が簡単にできる様にした事を特徴とする粘着テープ式クリーナーのロール
【発明の詳細な説明】
【発明の詳細な説明】
【産業上の利用分野】
【０００１】  本発明は粘着テープ式クリーナーのロールに係わり、粘着力を失なったテープ部を剥して一周分を切り離す動作が簡単にできる様にしたものに関する。
【背景技術】
【０００２】  一般に粘着テープ式クリーナーはロール状に巻かれた粘着テープにカーペットや衣服等のゴミやほこり、毛玉、抜け毛などを粘着させて除去するものであるが、使用によって粘着力がなくなると粘着テープの一周分をロールから切り離す必要がある。この際、図２（イ）の如くミシン目を切って粘着力がなくなったテープ部を切り離すか、又はミシン目のないものは図２（ロ）の如く小さな切り込みから切り破って粘着力がなくなったテープを切り離す事が行なわれている。しかしながら図２（ロ）の場合は粘着力を失なったテープ部を手で切り破るわけであるから、ロールの軸方向にきちんと切り破る事は困難で、粘着力を失ったテープ部が一部残る事がある。図２（イ）の場合ではミシン目があるので、きちんと切り取る事はできるが、無造作に行なうとミシン目以外のところを切り破いてしまう事があり、注意が必要である。いずれにしても粘着力を失なったテープ部を切り取る動作が必要で、これが煩らわしく面倒なものであった。その上、粘着力を失なったテープ部を剥す時は剥し始めの部分がめくり難く、かつその部分を見つけ難いと云う欠点があった。
【発明が解決しようとする問題点】
【０００３】  本発明の目的は、粘着テープ式クリーナーのロールにおいて粘着力を失なったテープ部を剥して一周分を切り離す動作が簡単にできる様にするところにあり、粘着力を失なったテープ部を剥して横方向へ引っ張るだけでロールからきちんと切り離す事ができる様にしたものである。
【問題点を解決する為の手段】
【０００４】  本発明は上記目的を達成する為、粘着テープを幾周も巻いたロールの一端部から軸方向又はほぼ軸方向へ他端部の近傍まで到達する切り目を入れる様にした。
【実施例】
【０００５】  図１は本発明による粘着テープ式クリーナーのロールの一実施例で、粘着テープを幾周も巻いたロール１の一端部から軸方向へ（ほぼ軸方向へも含む）他端部の近傍まで切り目３を入れてある（この切り目３はロール１の芯まで奥深く達するものである）。従って４は切り目３がないテープ部であり、この部分の長さは４〜１４ｍｍ位で、８ｍｍ程度が適当である。２は使い始めのロールのテープ部を示す。次に本発明の使い方を説明すると、図１において通常はロール１は剥離紙に包んであるのでこれを剥し、使い始めのロールのテープ部２の端部をめくって、そのまま横方向に引っ張ると切り目３から自然に剥れ、切り目３がないテープ部４は長さが短かい為に簡単に破れ、かくして使い始めのロールのテープ部２を除去（切り離す）する事ができる（単に横方向に引っ張るだけで切り離す事ができる）。この時、使い始めのロールのテープ部２はこれを単に横方向に引っ張るだけで切り離す事ができるが、テープ部４は切り目３がない為、テープ部４が破ける時はこの部分がロール１の表面から剥れて、図３（イ）の様にめくれ立ち部５（めくれて三角形状に立った部分）ができる。使い始めのロールのテープ部２をめくって切り目３の方向に引っ張って切り離すと、このめくれ立ち部５はできないのである。そこでこうしてできためくれ立ち部５を折り返して図３（ロ）の様に三角形状の折り返し部６を作り、これをロール表面に押し付けた上で、ロール１を図３（ハ）の様にロールホルダー７に嵌め込み、カーペットや衣類などの表面に押し付けて転がし、粘着テープにゴミやほこり、毛玉、抜け毛などを粘着させて除去するのである。ゴミやほこり、毛玉、抜け毛などが沢山粘着して粘着テープに粘着力がなくなったら、折り返し部６から粘着テープを剥し始め（剥し易い様に折り返し部６を自分の方に向けておくと良い――折り返し部６が反対側になった場合は、前後を逆にすれば折り返し部６は自分の方に向く）、ある程度剥したら、図３（ニ）の様にロールホルダー７を固定して粘着テープを矢印の方向（横方向――水平方向）に引っ張るか、又は図３（ホ）の様に粘着テープを固定してロールホルダー７を矢印の方向（横方向）に引っ張ると（両方を引っ張る様にしても良い）、粘着力を失なったテープ部は切り目３からきれいに剥れると同時に切り目３がないロールのテープ部４が破られて切り離される。この時、既に図３（イ）で述べたと同様に図３（ヘ）の如く自動的にめくれ立ち部５ができるから、これを図３（ト）の様に折り返して折り返し部６を作っておく（図３（ロ）と同じ）。こうして粘着力を失なったテープの一周分が切り離され、粘着力を持ったテープ部が新たに現われる。図３（ト）の様に折り返し部６を作っておくと、次の使用により粘着テープが粘着力を失なった時もこれを剥す時に剥し易くなり、以後、図３（ニ）から図３（ト）を繰り返す事により次々と使用により粘着力を失なったテープ部を簡単に切り離し、粘着力を持ったテープ部が現われて来る様にする事ができる。【０００６】  図１では切り目３をロール１の一端部から（ほぼ）軸方向に他端部の近傍まで入れられているが、図４（イ）の様にロール１の一端部から（ほぼ）軸方向に他端部まで完全に��り目８を入れる様にしても良い。但し、粘着力を失なったテープ部を剥す時には剥し始めの開始点を剥すのに苦労するので、剥す方向側に（図では左方向側）切り目８に近接して短かい切り目９を入れてある（この切り目９は切り目８と同様にロールの芯まで到達している）。こうするとロールの端部において切り目８，９間を半径方向に外側に向かって指で擦する事によって、この部分のテープ部同志が１枚１枚剥れるから（一般にロールの端部から３ｍｍ位までは両端部共に粘着剤の塗布が為されていない）、粘着力を失なったテープ部を剥す際の剥し始めを容易にする事ができる。この短かい切り目９は図４（ロ）のミシン目１０を入れたロールにも、更には図４（ハ）の手で破り易い様に切り込み１１を入れたロールにも適用する事ができる。
【発明の効果】
【０００７】  本発明によれば、使用により粘着力を失なったテープ部を横方向へ引っ張るだけで切り目３により自動的にロールから切り離す事ができ、非常に簡単にできる様になる（従来の様に切り取るミシン目を捜しながら剥してゆくなども不要で、単に無造作にサーッと引っ張るだけで良い）。従って図２に示す従来の様な所謂切り取ると云う動作を特別に必要としない為、極めて便利になる。しかも本発明では切り目３がないテープ部４がある為、粘着力を失なったテープ部をロールから切り離した時に図３（ヘ）の様に自動的にめくれ立ち部５ができ、これを図３（ト）の様に折り返して折り返し部６を作っておくと、粘着力を失なったテープ部を剥す時にこの折り返し部６が目印となって剥し始めの開始点を見つけ易く、かつ剥し始めが楽になる（折り返し部６がないと剥し始めが苦労し、イライラする）。もちろん、従来でも使用前に折り返し部を作っておく事はできるが、この折り返し部を作ること自体に苦労するのである（本発明では図３（ヘ）の様に自動的にめくれ立ち部５ができるので、折り返し部６は簡単に作れる）。尚、本発明では使用中に切り目３から粘着テープが剥れる恐れがある様に見えるが、この部分は裏側で粘着しているのであり、図２の従来でも粘着テープはミシン目から破られた部分や小さな切り込みから破られた部分は切り取られた部分であり、同じ様に裏側で粘着していて、条件は同じであるから、従来と同様に前記恐れはない。
【図面の簡単な説明】
【図１】本発明による粘着テープ式クリーナーのロールの図。
【図２】従来のロールの図。
【図３】本発明の使い方を示す図。
【図４】短かい切り目を有するロールの図。
【符号の説明】
１はロール、２は使い始めのロールのテープ部、３は切り目、４は切り目がないテープ部、５はめくれ立ち部、６は折り返し部、７はロールホルダー、８は切り目、９は短かい切り目、１０はミシン目、１１は切り込みである。
【図１】
2010042230.tif 000003
【図２】
2010042230.tif 000004
【図３】
2010042230.tif 000005
【図４】
2010042230.tif 000006